(57)【要約】【課題】より簡単且つ迅速に、地中に埋設されたトラフの内部の所定箇所を地上部に臨ませることを可能とする開閉式管路構造を提供することにある。【解決手段】開閉式管路構造１０１は、配線・配管経路に沿って延びるトラフ本体１１１、及び、トラフ本体１１１の内部を所定位置で地上部に臨ませるための貫通孔１１６が形成されたトラフ蓋１１５から構成され、配線・配管経路に沿って地中に埋設されたトラフ１１０と、高さ方向に延在するとともに上下両端で開口した周壁１２１から構成され、トラフ蓋１１５から地上部側に立ち上がるとともに貫通孔１１６を介して地上部とトラフ本体１１１の内部とを連通させるようにトラフ蓋１１５の上に載置された開口枠１２０と、地上部に露出した状態で開口枠１２０を開閉自在に閉塞するように設置された開閉蓋１３０と、を備える。【選択図】図２
2020014307.tif 000002
【特許請求の範囲】
【請求項１】
共同溝の少なくとも一部を構成する開閉式管路構造であって、
配線・配管経路に沿って延びる底壁と前記底壁の幅方向端部から立設する一対の側壁とからなるトラフ本体、及び、前記底壁に対向して配置されているとともに、前記トラフ本体の内部を所定位置で地上部に臨ませるための貫通孔が形成されたトラフ蓋から構成され、前記配線・配管経路に沿って地中に埋設されたトラフと、
高さ方向に延在するとともに上下両端で開口した周壁から構成され、前記トラフ蓋から地上部側に立ち上がるとともに前記貫通孔を介して地上部と前記トラフ本体の内部とを連通させるように前記トラフ蓋の上に載置された開口枠と、
地上部に露出した状態で前記開口枠を開閉自在に閉塞するように設置された開閉蓋と、を備えることを特徴とする開閉式管路構造。
【請求項２】
前記トラフ本体には、前記配線・配管経路から前記トラフの外部に分岐する配線分岐路に沿って電線を配線するための分岐部が形成され、前記分岐部は、前記開口枠を介して地上部に臨む位置に配置されていることを特徴とする請求項１に記載の開閉式管路構造。
【請求項３】
前記トラフ本体には、内部を幅方向に２つの配線・配管空間に区分する隔壁部が設けられ、
前記隔壁部には、前記分岐部が配置されていない一方の配線・配管空間から、前記分岐部が配置された他方の配線空間へと前記隔壁部を越えて配線・配管材を配設するために、前記一方及び他方の配線・配管空間を繋ぐ連通部が設けられていることを特徴とする請求項２に記載の開閉式管路構造。
【請求項４】
前記トラフは合成樹脂からなることを特徴とする請求項１から３のいずれか一項に記載の開閉式管路構造。
【請求項５】
配線・配管経路に沿って延びる底壁と前記底壁の幅方向端部から立設する一対の側壁とからなるトラフ本体、及び、前記底壁に対向して配置されたトラフ蓋から構成された複数のトラフを前記配線・配管経路に沿って連なって共同溝を形成するように地下部に設置する工程と、
前記複数のトラフの少なくとも一部のトラフにおいて、前記トラフ本体の内部を所定位置で地上部に臨ませるように前記トラフ蓋に貫通孔を形成する工程と、
高さ方向に延在するとともに上下両端で開口した周壁から構成された開口枠を前記トラフ蓋から地上部側に立ち上がるように前記トラフ蓋の上に載置し、前記開口枠により、前記貫通孔を介して地上部と前記トラフ本体の内部とを連通させる工程と、
前記開口枠を開閉可能に閉塞するとともに、地上部に露出するように開閉蓋を前記開口枠に設置する工程と、を含むことを特徴とする共同溝を構築する方法。
【請求項６】
開閉機構を備えた管路を形成する開閉式管路形成装置であって、
配線・配管経路に沿って延びる底壁と前記底壁の幅方向端部から立設する一対の側壁とからなるトラフ本体、及び、前記底壁に対向して配置されているとともに、前記トラフ本体の内部を所定位置で地上部に臨ませるための貫通孔が形成されたトラフ蓋から構成されたトラフと、
高さ方向に延在するとともに上下両端で開口した周壁から構成され、前記トラフ蓋から地上部側に立ち上がるように前記トラフ蓋の上に載置され、前記貫通孔を介して地上部と前記トラフ本体の内部とを連通させるための開口枠と、
前記開口枠を開閉自在に閉塞するとともに、地上部に露出する高さで前記開口枠に保持される開閉蓋と、を備えることを特徴とする開閉式管路形成装置。
【請求項７】
管路を形成すべく地中に埋設されるトラフであって、
配線・配管経路に沿って延びる底壁と前記底壁の幅方向端部から立設する一対の側壁とからなるトラフ本体と、
前記底壁に対向して配置されるトラフ蓋と、を備え、
前記トラフ蓋には、前記トラフ本体の内部を地上部に臨ませるための貫通孔の穿設を指示する表示部が形成され、
前記表示部は、穿孔具によって前記貫通孔の角隅に対応する円孔を穿孔するための穿孔中心を示す中心指示部と、前記貫通孔の外周縁を示す外形線とを含み、前記外形線は、穿孔予定の複数の円孔の円弧部位と、前記円弧部位を繋ぐ直線部位からなることを特徴とするトラフ。
【請求項８】
前記貫通孔が穿設されたとき、前記貫通孔の周囲には、高さ方向に延在するとともに上下両端で開口した周壁から構成された開口枠が前記トラフ蓋から地上部側に立ち上がるように前記トラフ蓋の上に載置され、前記開口枠は、前記貫通孔を介して地上部と前記トラフ本体の内部とを連通させるように配置され、
前記表示部は、前記トラフ蓋に前記開口枠をボルトで固定するためのボルト孔を形成するためのボルト孔位置指示部をさらに備え、前記ボルト孔位置指示部は、前記トラフ蓋上の前記外形線の外側に位置することを特徴とする請求項７に記載のトラフ。
【請求項９】
前記トラフ本体には、内部を幅方向に複数の配線・配管空間に区分する隔壁部が設けられ、
前記隔壁部のトラフ蓋側端縁の前記表示部に対応する位置には、区分けした前記複数の配線・配管空間を繋ぐ連通部が形成されていることを特徴とする請求項７又は８に記載のトラフ。
【請求項１０】
電線の分岐接続を行う機器を収容したり、地上機器を設置するための枡状の特殊部、及び、前記特殊部に連設された一般部を備える電線共同溝であって、
前記一般部は、電線の配線経路に沿って延びる底壁と前記底壁の幅方向端部から立設する一対の側壁とからなるトラフ本体、及び、前記底壁に対向して配置されているトラフ蓋から構成され、前記配線経路に沿って連なって地中に埋設された複数のトラフを備え、
前記複数のトラフの少なく一部のトラフのトラフ蓋には、前記トラフ本体の内部を所定位置で地上部に臨ませるための貫通孔が形成され、
前記貫通孔が形成されたトラフにおいて、高さ方向に延在するとともに上下両端で開口した周壁から構成された開口枠が、前記トラフ蓋から地上部側に立ち上がるとともに前記貫通孔を介して地上部と前記トラフ本体の内部とを連通させるように前記トラフ蓋の上に載置され、
閉塞蓋が地上部に露出した状態で前記開口枠を開閉自在に閉塞していることを特徴とする電線共同溝。
【発明の詳細な説明】
【技術分野】
【０００１】
本発明は、地中に配線・配管材を配設するための共同溝に関する。
【背景技術】
【０００２】
昨今、無電柱化を目的として、電柱に架設されていた電線を地中に埋設して配線するための電線共同溝（Ｃ．Ｃ．ＢＯＸ）の設置が行われている。電線共同溝は、電力線や通信線などの電線類を共同して道路の下などの地下部に収容する設備である。一般的に、電線共同溝は、通信接続枡、電力分岐枡、地上機器枡等の構造物を含む特殊部と、該特殊部に連設され、主要な配線経路に沿って電力や通信用途の電線を収容する管路を形成する一般部とを備えてなる。この一般部は、長手方向にＵ字断面が連続し、内部に電線類を収容可能なトラフが連設されることによって構築され得る。
【０００３】
例えば、特許文献１は、トラフ方式の電線共同溝を開示する。以下、当該段落において、（）内に特許文献１の符号を示す。電線共同溝は、一般部を構成するケーブルトラフ（１１）と、特殊部を構成し、電線の接続機器（４５）が収容される収容ボックス（１２）とを備える。ケーブルトラフ（１１）は、プレキャストコンクリート製のブロックからなり、舗装道路（Ｒ）の舗装材（Ｒａ）中に埋設される。ケーブルトラフ（１１）は、底壁（２３）、及び、底壁（２３）の幅方向両端部から上方に延びる一対の側壁（２４）を有し、かつ上端において開放された内部空間（Ｓ１）を有するトラフ本体（１３）と、トラフ本体（１３）の上端の開放部分を開閉自在に閉鎖する、コンクリート製の板材からなる蓋部材（２２）とを備える。ケーブルトラフ（１１）のトラフ部材（２１）の側壁（２４）には、ノックアウト部（２４ａ）が形成されている。ノックアウト部（２４ａ）は、側壁（２４）を部分的に薄く形成することによって、当該側壁（２４）の貫通する開口を形成しやすくするものである。側壁（２４）に形成された開口は、ケーブルトラフ（１１）内の電線（Ｋ）を外部へ引き出すときに利用される。
【先行技術文献】
【特許文献】
【０００４】
【特許文献１】特開２０１７−１２７０６７号公報
【発明の概要】
【発明が解決しようとする課題】
【０００５】
特許文献１の電線共同溝では、特殊部（収容ボックス）だけでなく、一般部を構成するトラフにおいて電線を接続させたり分岐させたりすることができる。しかしながら、当該電線共同溝では、電線の接続、分岐又は点検作業の際、トラフ本体の上端開放部分全体を覆う蓋部材を取り外してトラフ内部を完全に地上部に露出させた上で作業を行う必要があった。蓋部材は、一般に、コンクリート製の板材等からなる重量物であることから、トラフの蓋部材をトラフ本体から着脱することは容易ではなく、作業効率の低下を招くことが課題であった。また、電線共同溝の設置後にトラフ内部を露出させるには、トラフの蓋部材全体を地上に露出させることが必要であり、トラフを地中に埋設できないという設計上の制限が生じることも問題であった。
【０００６】
本発明は、上記課題を解決するためになされたものであり、その目的は、より簡単且つ迅速に、地中に埋設されたトラフの内部の所定箇所を地上部に臨ませることを可能とする開閉式管路構造、トラフ、開閉式管路形成装置、電線共同溝、及び、共同溝を構築する方法を提供することにある。
【課題を解決するための手段】
【０００７】
請求項１に記載の開閉式管路構造は、共同溝の少なくとも一部を構成する開閉式管路構造であって、
配線・配管経路に沿って延びる底壁と前記底壁の幅方向端部から立設する一対の側壁とからなるトラフ本体、及び、前記底壁に対向して配置されているとともに、前記トラフ本体の内部を所定位置で地上部に臨ませるための貫通孔が形成されたトラフ蓋から構成され、前記配線・配管経路に沿って地中に埋設されたトラフと、
高さ方向に延在するとともに上下両端で開口した周壁から構成され、前記トラフ蓋から地上部側に立ち上がるとともに前記貫通孔を介して地上部と前記トラフ本体の内部とを連通させるように前記トラフ蓋の上に載置された開口枠と、
地上部に露出した状態で前記開口枠を開閉自在に閉塞するように設置された開閉蓋と、を備えることを特徴とする。
【０００８】
請求項２に記載の開閉式管路構造は、請求項１に記載の開閉式管路構造において、前記トラフ本体には、前記配線・配管経路から前記トラフの外部に分岐する配線分岐路に沿って電線を配線するための分岐部が形成され、前記分岐部は、前記開口枠を介して地上部に臨む位置に配置されていることを特徴とする。
【０００９】
請求項３に記載の開閉式管路構造は、請求項２に記載の開閉式管路構造において、前記トラフ本体には、内部を幅方向に２つの配線・配管空間に区分する隔壁部が設けられ、
前記隔壁部には、前記分岐部が配置されていない一方の配線・配管空間から、前記分岐部が配置された他方の配線空間へと前記隔壁部を越えて配線・配管材を配設するために、前記一方及び他方の配線・配管空間を繋ぐ連通部が設けられていることを特徴とする。
【００１０】
請求項４に記載の開閉式管路構造は、請求項１から３のいずれか一項に記載の開閉式管路構造において、前記トラフは合成樹脂からなることを特徴とする。
【００１１】
請求項５に記載の共同溝を構築する方法は、
配線・配管経路に沿って延びる底壁と前記底壁の幅方向端部から立設する一対の側壁とからなるトラフ本体、及び、前記底壁に対向して配置されたトラフ蓋から構成された複数のトラフを前記配線・配管経路に沿って連なって共同溝を形成するように地下部に設置する工程と、
前記複数のトラフの少なくとも一部のトラフにおいて、前記トラフ本体の内部を所定位置で地上部に臨ませるように前記トラフ蓋に貫通孔を形成する工程と、
高さ方向に延在するとともに上下両端で開口した周壁から構成された開口枠を前記トラフ蓋から地上部側に立ち上がるように前記トラフ蓋の上に載置し、前記開口枠により、前記貫通孔を介して地上部と前記トラフ本体の内部とを連通させる工程と、
前記開口枠を開閉可能に閉塞するとともに、地上部に露出するように開閉蓋を前記開口枠に設置する工程と、を含むことを特徴とする。
【００１２】
請求項６に記載の開閉式管路形成装置は、開閉機構を備えた管路を形成する開閉式管路形成装置であって、
配線・配管経路に沿って延びる底壁と前記底壁の幅方向端部から立設する一対の側壁とからなるトラフ本体、及び、前記底壁に対向して配置されているとともに、前記トラフ本体の内部を所定位置で地上部に臨ませるための貫通孔が形成されたトラフ蓋から構成されたトラフと、
高さ方向に延在するとともに上下両端で開口した周壁から構成され、前記トラフ蓋から地上部側に立ち上がるように前記トラフ蓋の上に載置され、前記貫通孔を介して地上部と前記トラフ本体の内部とを連通させるための開口枠と、
前記開口枠を開閉自在に閉塞するとともに、地上部に露出する高さで前記開口枠に保持される開閉蓋と、を備えることを特徴とする。
【００１３】
請求項７に記載のトラフは、管路を形成すべく地中に埋設されるトラフであって、
配線・配管経路に沿って延びる底壁と前記底壁の幅方向端部から立設する一対の側壁とからなるトラフ本体と、
前記底壁に対向して配置されるトラフ蓋と、を備え、
前記トラフ蓋には、前記トラフ本体の内部を地上部に臨ませるための貫通孔の穿設を指示する表示部が形成され、
前記表示部は、穿孔具によって前記貫通孔の角隅に対応する円孔を穿孔するための穿孔中心を示す中心指示部と、前記貫通孔の外周縁を示す外形線とを含み、前記外形線は、穿孔予定の複数の円孔の円弧部位と、前記円弧部位を繋ぐ直線部位からなることを特徴とする。
【００１４】
請求項８に記載のトラフは、請求項７に記載のトラフにおいて、前記貫通孔が穿設されたとき、前記貫通孔の周囲には、高さ方向に延在するとともに上下両端で開口した周壁から構成された開口枠が前記トラフ蓋から地上部側に立ち上がるように前記トラフ蓋の上に載置され、前記開口枠は、前記貫通孔を介して地上部と前記トラフ本体の内部とを連通させるように配置され、
前記表示部は、前記トラフ蓋に前記開口枠をボルトで固定するためのボルト孔を形成するためのボルト孔位置指示部をさらに備え、前記ボルト孔位置指示部は、前記トラフ蓋上の前記外形線の外側に位置することを特徴とする。
【００１５】
請求項９に記載のトラフは、請求項７又は８に記載のトラフにおいて、前記トラフ本体には、内部を幅方向に複数の配線・配管空間に区分する隔壁部が設けられ、前記隔壁部のトラフ蓋側端縁の前記表示部に対応する位置には、区分けした前記複数の配線・配管空間を繋ぐ連通部が形成されていることを特徴とする。
【００１６】
請求項１０に記載の電線共同溝は、電線の分岐接続を行う機器を収容したり、地上機器を設置するための枡状の特殊部、及び、前記特殊部に連設された一般部を備える電線共同溝であって、
前記一般部は、電線の配線経路に沿って延びる底壁と前記底壁の幅方向端部から立設する一対の側壁とからなるトラフ本体、及び、前記底壁に対向して配置されているトラフ蓋から構成され、前記配線経路に沿って連なって地中に埋設された複数のトラフを備え、
前記複数のトラフの少なく一部のトラフのトラフ蓋には、前記トラフ本体の内部を所定位置で地上部に臨ませるための貫通孔が形成され、
前記貫通孔が形成されたトラフにおいて、高さ方向に延在するとともに上下両端で開口した周壁から構成された開口枠が、前記トラフ蓋から地上部側に立ち上がるとともに前記貫通孔を介して地上部と前記トラフ本体の内部とを連通させるように前記トラフ蓋の上に載置され、
閉塞蓋が地上部に露出した状態で前記開口枠を開閉自在に閉塞していることを特徴とする。
【発明の効果】
【００１７】
請求項１に記載の開閉式管路構造によれば、トラフの所定位置でトラフ蓋に貫通孔を形成し、開口枠をトラフ蓋から地上部側に立ち上がるようにしてトラフ蓋の上に載置し、開口枠の上下開口を貫通孔を介してトラフ本体内部に連通させ、地上部に露出する開閉蓋で開口枠を閉塞したことにより、トラフのトラフ蓋をトラフ本体から取り外すことなく、地上部で開閉蓋を操作するだけでトラフ本体内部を簡単且つ迅速に地上部に臨ませることが可能となった。すなわち、地上部に露出した開閉蓋を開口枠から取り外す作業は、トラフ本体全体を覆うトラフ蓋を取り外す作業よりも極めて容易であり、作業者の負担を従来よりも大幅に軽減することができる。また、トラフを地中に埋設させたとしても、トラフ蓋から立ち上がった開口枠を介して、トラフ内部を地上部に臨ませることができる。したがって、本発明の開閉式管路構造は、電線の接続、分岐、点検等の作業効率を大幅に改善するとともに、管路設計の自由度を改善したものである。
【００１８】
請求項２に記載の開閉式管路構造によれば、請求項１の発明の効果に加えて、トラフ本体に分岐部が形成されていることにより、配線・配管材を分岐部を介してトラフの外部に引き出すことが可能であり、トラフに沿った主要な配線・配管経路からトラフの外部に分岐する配線・配管分岐路に沿って配線・配管材を配設することができる。さらに、作業者が、開閉蓋を開口枠を取り外すことにより、分岐部を開口枠の開口及び貫通孔を介して地上部に臨ませることができるため、配線・配管材の分岐作業を容易に行うことが可能となる。
【００１９】
請求項３に記載の開閉式管路構造によれば、請求項１又は２の発明の効果に加えて、隔壁部に区分けされた２つの配線・配管空間に配線・配管材を分別して配設することができる。さらに、連通部を介して、配線・配管材を分岐部が配置されていない一方の配線・配管空間から、他方の配線・配管空間へと配線し、そのまま分岐部へと導くことができる。このとき、分岐部を開口枠の開口及び貫通孔を介して地上部に臨ませることができるため、一方の配線・配管空間からの分岐作業を容易に行うことが可能となる。
【００２０】
請求項４に記載の開閉式管路構造によれば、請求項１から３のいずれかの発明の効果に加えて、トラフがコンクリート製のものと比べて軽量な合成樹脂製であることから、電線共同溝を構築する際の運搬作業が大幅に容易となる。
【００２１】
請求項５に記載の共同溝を形成する方法によれば、トラフの所定位置でトラフ蓋に貫通孔を形成し、開口枠をトラフ蓋から地上部側に立ち上がるようにしてトラフ蓋の上に載置し、開口枠の開口を貫通孔を介してトラフ本体内部に連通させ、地上部に露出する開閉蓋で開口枠の開口を閉塞したことにより、トラフのトラフ蓋をトラフ本体から取り外すことなく、地上部で開閉蓋を操作するだけでトラフ本体内部を簡単且つ迅速に地上部に臨ませることが可能となった。すなわち、地上部に露出した開閉蓋を開口枠から取り外す作業は、トラフ本体全体を覆うトラフ蓋を取り外す作業よりも極めて容易であり、作業者の負担を従来よりも大幅に軽減することができる。また、トラフを地中に埋設させたとしても、トラフ蓋から立ち上がった開口枠を介して、トラフ内部を地上部に臨ませることができる。したがって、本発明の方法は、地上部に露出した開閉蓋を開口枠から着脱し、開口枠の開口及びトラフ蓋の貫通孔を介してトラフ本体部の内部を地上部に開放可能である、電線の接続、分岐、点検等の作業効率を大幅に改善する電線共同溝を提供するとともに、共同溝設計の自由度を改善したものである。
ものである。
【００２２】
請求項６に記載の開閉式管路形成装置によれば、トラフの所定位置でトラフ蓋に貫通孔を形成し、開口枠をトラフ蓋から地上部側に立ち上がるようにしてトラフ蓋の上に載置し、開口枠の開口を貫通孔を介してトラフ本体内部に連通させ、地上部に露出する高さで開閉蓋を開口枠の開口に保持可能である。これにより、開閉式管路形成装置によって構築した管路において、トラフのトラフ蓋をトラフ本体から取り外すことなく、地上部で開閉蓋を操作するだけでトラフ本体内部を簡単且つ迅速に地上部に臨ませることが可能となった。すなわち、地上部に露出した開閉蓋を開口枠から取り外す作業は、トラフ本体全体を覆うトラフ蓋を取り外す作業よりも極めて容易であり、作業者の負担を従来よりも大幅に軽減することができる。また、トラフを地中に埋設させたとしても、トラフ蓋から立ち上がった開口枠を介して、トラフ内部を地上部に臨ませることができる。したがって、本発明の開閉式管路形成装置は、設置した状態において、電線の接続、分岐、点検等の作業効率を大幅に改善するとともに、管路設計の自由度を改善したものである。
【００２３】
請求項７に記載のトラフによれば、トラフのトラフ蓋には、トラフ本体の内部を地上部に臨ませるための貫通孔を穿設するための表示部が形成されている。そして、表示部の中心指示部に基づいて、穿孔具で貫通孔の角隅に対応する位置に円孔を穿孔した上で、外形線に沿ってトラフ蓋を切断することにより、トラフ蓋に貫通孔を容易に形成することができる。結果として、トラフを地中に埋設したときに当該貫通孔を介して、トラフ本体の内部を地上部に臨ませることができる。したがって、本発明のトラフは、電線の接続や分岐等の作業を容易に行うことを可能とするものである。
【００２４】
請求項８に記載のトラフによれば、請求項７の発明の効果に加えて、トラフ蓋における外形線の外側に設けられたボルト孔位置指示部に基づいて、ボルト孔を穿設することで、トラフ蓋に開口枠をボルトで容易に固定することが可能となる。
【００２５】
請求項９に記載の電線共同溝構造によれば、請求項７又は８の発明の効果に加えて、隔壁部によって区分けされた一方の配線・配管空間から他方の配線・配管空間へと連通部を介して配線・配管材を容易に配設することが可能となる。
【００２６】
請求項１０に記載の電線共同溝によれば、一般部を構成する複数のトラフのうちの少なくとも一部のトラフの所定位置でトラフ蓋に貫通孔を形成し、開口枠をトラフ蓋から地上部側に立ち上がるようにしてトラフ蓋の上に載置し、開口枠の上下開口を貫通孔を介してトラフ本体内部に連通させ、地上部に露出する開閉蓋で開口枠を閉塞したことにより、トラフのトラフ蓋をトラフ本体から取り外すことなく、地上部で開閉蓋を操作するだけでトラフ本体内部を簡単且つ迅速に地上部に臨ませることが可能となった。これにより、特殊部だけでなく、一般部においても電線の接続や分岐などの作業を行うことが容易となった。したがって、本発明の電線共同溝は、地上部に露出した開閉蓋を開口枠から着脱し、開口枠の開口及びトラフ蓋の貫通孔を介してトラフ本体部の内部を地上部に開放可能であることから、電線の接続、分岐、点検等の作業効率を大幅に改善するとともに、電線共同溝の多様な設計可能性を提供するものである。
【図面の簡単な説明】
【００２７】
【図１】本発明に係る一実施形態の電線共同溝の概略斜視図。
【図２】図１の電線共同溝の開閉式管路形成装置の概略斜視図。
【図３】図２の開閉式管路形成装置の（ａ）平面図、（ｂ）正面図、（ｃ）右側面図及び（ｄ）左側面図。
【図４】図３の開閉式管路形成装置の（ａ）Ａ−Ａ断面図、及び、（ｂ）Ｂ−Ｂ断面図。
【図５】図２の開閉式管路形成装置の分解斜視図。
【図６】図５の開閉式管路形成装置を構成するトラフの概略斜視図。
【図７】図６のトラフの（ａ）平面図、（ｂ）正面図、（ｃ）右側面図及び（ｄ）左側面図。
【図８】図７のトラフの（ａ）Ｃ−Ｃ断面図、及び、（ｂ）Ｄ−Ｄ断面図。
【図９】図１の電線共同溝の一般部を形成する通常のトラフの概略斜視図。
【図１０】図９のトラフの（ａ）平面図、（ｂ）正面図、（ｃ）右側面図及び（ｄ）左側面図。
【図１１】図１０のトラフの（ａ）Ｅ−Ｅ断面図、及び、（ｂ）Ｆ−Ｆ断面図。
【図１２】図９のトラフのトラフ蓋に貫通孔を穿設する工程を示す概略図。
【図１３】図１の電線共同溝における特殊部と一般部との接続構造を示す分解斜視図。
【図１４】図１３の接続構造を構成する妻壁部材の（ａ）正面（特殊部側）から見た概略斜視図、及び、（ｂ）背面（一般部側）から見た概略斜視図。
【図１５】図１４の妻壁部材の（ａ）平面図、（ｂ）正面図、（ｃ）側面図、（ｄ）底面図及び（ｅ）背面図。
【図１６】図１６の妻壁部材の（ａ）Ｇ−Ｇ断面図、及び、（ｂ）Ｈ−Ｈ断面図。
【図１７】図１の電線共同溝における特殊部と一般部との接続構造を示す概略斜視図。
【図１８】図１７の電線共同溝の（ａ）平面図、及び、（ｂ）正面図。
【図１９】図１８の電線共同溝の（ａ）Ｉ−Ｉ断面図、及び、（ｂ）Ｊ−Ｊ断面図。
【図２０】図１８の電線共同溝のＫ−Ｋ断面図。
【図２１】本発明の一実施形態の設置後の電線共同溝を模式的に示す平面図。
【図２２】図２１の電線共同溝を模式的に示す正面図。
【図２３】図２１の電線共同溝の（ａ）Ｌ−Ｌ断面図、（ｂ）Ｍ−Ｍ断面図、及び、（ｃ）Ｎ−Ｎ断面図。
【図２４】図２１の電線共同溝のＯ−Ｏ断面図。
【図２５】図２１の電線共同溝において、開閉蓋を取り外してトラフ内部を開放した状態を模式的に示す部分拡大平面図。
【発明を実施するための形態】
【００２８】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。また、本実施形態の説明は本発明の例示にすぎず、本発明の用途は当該実施形態に限定されることはない。
【００２９】
図１は、本発明の一実施形態の電線共同溝１０を示す概略斜視図である。図１において、説明の便宜上、舗装材や掘削された凹溝などは省略される。図１に示すとおり、本実施形態の電線共同溝１０は、地上面から掘り下げた地下部に設置された特殊部１１と、特殊部１１に連設されて地中で管路を形成する一般部１２とを備えてなる。つまり、電線共同溝１０は、全体として電線Ｘを配線する管路を形成するものである。本実施形態では、特殊部１１は、電力ケーブルの接続分岐を行うための接続分岐枡である。特殊部１１は、Ｕ字溝や枡状のコンクリート構造物であり、内部又は地上に電力供給や分岐用の機器を配設するものである。特殊部１１は、コンクリート枡１１ａと、その上を閉塞するコンクリート蓋１１ｂとを備える。特殊部１１内部の詳細な説明はここでは省略する。他方、一般部１２は、電線を内挿する長尺の管路を形成するように、電線の配線経路に沿って連なった複数の中空のトラフ１１０（又は開閉式管路形成装置１００）によって構成されている。そして、特殊部１１及び一般部１２は、接続構造１５（妻壁部材１５０）によって、その内部空間で連通するように接続されている。なお、本実施形態では、一般部１２は、主要な配線経路を定める本線路を構成しているが、目的とするシステムに応じて、本線路から枝状に分かれた複数の配線分岐路を任意に追加してもよい。あるいは、本実施形態の一般部１２が本線路から分岐した配線分岐路に適用されてもよい。
【００３０】
まず、図２乃至図５を参照して、本発明の一実施形態の開閉式管路形成装置１００の構成を説明する。本実施形態において、開閉式管路形成装置１００は、トラフ１１０、開口枠１２０及び開閉蓋１３０を備え、一般部１２の少なくとも一部を構成するアセンブリ（集合体）である。図２は、開閉式管路形成装置１００の概略斜視図である。図３（ａ）〜（ｄ）は、開閉式管路形成装置１００の平面図、正面図、右側面図及び左側面図である。図４（ａ），（ｂ）は、開閉式管路形成装置１００のＡ−Ａ断面図及びＢ−Ｂ断面図である。図５は、開閉式管路形成装置１００の分解斜視図である。
【００３１】
本実施形態の開閉式管路形成装置１００は、地中に埋設される一般部１２の一部を構成し、隣接する１又は複数のトラフ１１０を介して特殊部１１内部に連通する管路を形成する。また、開閉式管路形成装置１００は、内部で電線を分岐することが可能であり、開閉蓋１３０を取り外すことで内部を地上部に露出させることが可能である。図２乃至図５に示すように、開閉式管路形成装置１００は、長手方向に延びるトラフ１１０と、トラフ１１０上面に設けられた開口枠１２０と、該開口枠１２０に設置された開閉蓋１３０とを備える。以下、開閉式管路形成装置１００を構成する各構成要素について説明する。
【００３２】
図６は、トラフ１１０の概略斜視図である。図７（ａ）〜（ｄ）は、トラフ１１０の平面図、正面図、右側面図及び左側面図である。図８（ａ），（ｂ）は、トラフ１１０のＣ−Ｃ断面図及びＤ−Ｄ断面図である。
【００３３】
トラフ１１０は、配線経路（又は配線方向）に沿って長手状に延設されたＵ字溝状のトラフ本体１１１、及び、該トラフ本体１１１の上方開口を閉塞するように配置されたトラフ蓋１１５を備えてなる。トラフ１１０は、地上部からコ字状に掘削された凹溝の底面に水平に配設される。本実施形態では、トラフ１１０の長辺が電線の配線経路に沿うように定められているが、トラフ１１０の（配線経路に直交する）幅方向が相対的に長辺であってもよい。
【００３４】
トラフ本体１１１は、配線経路に沿って長手状に延びる平板状の底壁と、該底壁の（配線方向に直交する）幅方向の両端部から立設する一対の側壁とから構成され、上方、及び、長手方向両端で開放されている。また、側壁の上端には段差が形成されている。さらに、底壁の上面には、幅方向の延びる複数のリブが凸設されている。これら複数のリブは、所定間隔で平行に配置され、トラフ本体１１１を構造的に補強するものである。なお、トラフ本体１１１は硬質性の合成樹脂製である。本実施形態のトラフ本体１１１は、合成樹脂を採用したことにより、一般的なコンクリート製のものよりも軽量である。
【００３５】
トラフ蓋１１５は、トラフ本体１１１の上方開口を閉塞可能に長手状に延在する所定厚の板状体である。トラフ蓋１１５は硬質性の合成樹脂製である。本実施形態のトラフ蓋１１５は、合成樹脂を採用したことにより、一般的なコンクリート製のものよりも軽量となる。トラフ蓋１１５は、一対の側壁上に載架されて、底壁に対向するように配置される。なお、本発明において、トラフ蓋は、底壁に対向して配置されて、上方を向いた開口を（少なくとも部分的に）閉塞できればよく、側壁に直接に支持されなくてもよい。例えば、トラフ蓋は、他の部材を介して、底壁と対向するようにトラフ本体上に載置されてもよい。
【００３６】
トラフ蓋１１５の略中央には、トラフ本体１１１の内部を所定位置で地上部に臨ませるための貫通孔１１６が形成されている。貫通孔１１６は、略矩形（正方形）状の透孔である。より詳細には、貫通部１１６の周縁は、４隅で円弧状の曲面を形成し、隣接する円弧の間を直線部位が繋いでいる。貫通孔１１６の大きさは、作業者が電線の接続、分岐、点検作業などをすることに適したサイズに設計され得る。また、トラフ蓋１１５の貫通孔１１６の外側には、開口枠１２０を固定するための複数（本実施形態では４つ）のボルト孔１１７が設けられている。
【００３７】
本実施形態では、トラフ蓋１１５の周縁には段差が形成されている。図８（ｂ）に示すように、トラフ蓋１１５の周縁の段差と側壁上端の段差が組み合うことにより、トラフ蓋１１５がトラフ本体１１１の幅方向にずれることが規制される。また、図８（ａ）に示すように、トラフ蓋１１５の長手方向の両端部も段状に形成されている。トラフ蓋１１５の一端では、縦断面において上面側部位に凸状の段部が形成され、トラフ蓋１１５の他端では、縦断面において上面側部位及び下面側部位に凹状の段部が形成されている。これらの段部は長手方向に対向して互いに組み合うことが可能な形状を有している。すなわち、トラフ１１０は、トラフ蓋１１５がトラフ本体１１１に取着した形態で、長手方向の一端に凸部を有し、他端に凸部を収容可能な凹部を有する。これにより、互いに隣接するトラフ１１０同士が端部で係合することが可能である。
【００３８】
また、トラフ本体１１１には、地中の配線経路からトラフ１１０の外部に分岐する配線分岐路に沿って電線を配線するための分岐部１１２が設けられている。分岐部１１２は、トラフ本体１１１の側壁に穿設された壁孔に対して管継ぎ手が一体的に取り付けられることによって構成されている。分岐部１１２は、後述するトラフ蓋１１５の貫通孔１１６に近接して配置されている。特には、分岐部１１２の基端を定める壁孔が、長手方向（配線方向）においてトラフ蓋１１５の貫通孔１１６に重複するように位置している。
【００３９】
さらに、トラフ本体１１１には、   トラフ１１０の内部を幅方向に２つの配線空間に区分する隔壁部１１３が設けられている。すなわち、異なる種類の電線を隔壁部１１３を介して仕分けして配線することが可能である。隔壁部１１３は、底壁の幅方向の略中央から立設し、長手方向の一端近傍から他端近傍にかけて延在している。また、隔壁部１１３の高さは、トラフ蓋１１５がトラフ本体１１１に設置されているときに、トラフ蓋１１５の底面が隔壁部１１３の上面に当接するように定められている。また、隔壁部１１３によって隔てられた片側の配線空間側のみに、分岐部１１２が配置されている。そして、隔壁部１１３には、分岐部１１２が配置されていない一方の配線空間から、分岐部１１２が配置された他方の配線空間へと隔壁部１１３を越えて電線を配線するために、一方及び他方の配線空間を繋ぐ連通部１１４が設けられている。この連通部１１４は、隔壁部１１３の上縁に形成された切り欠きである。
【００４０】
開口枠１２０は、図５に示すとおり、平面視矩形（略正方形）状の合成樹脂製の枠体である。開口枠１２０は、高さ（垂直）方向に筒状に延在するとともに上下両端で開口した周壁１２１と、周壁１２１の下端で径方向内外に張り出したフランジ１２３とを備える。開口枠１２０の上下開口は矩形（略正方形）状を有しているが、上方の開口は周壁１２１上端によって縁取られ、下方の開口はフランジ１２３の内周縁によって縁取られていることから、その寸法が異なる。図４に示すように、下方の開口の形状寸法は、貫通孔１１６とほぼ等しく、上方の開口が貫通孔１１６よりも大きい。周壁１２１の高さは、トラフ１１０が地中に埋設されたときのトラフ蓋１１５上面から地表面との距離とほぼ等しくなるように定められることが好ましい。また、周壁１２１の周囲で延在するフランジ１２３には、開口枠１２０をトラフ蓋１１５にネジなどで固定するため複数（本実施形態では４つ）のボルト孔１２４が形成されている。該ボルト孔１２４は、トラフ蓋１１５に穿設されたボルト孔１１７に対応している。そして、フランジ１２３の周壁１２１の内側の部分は、開閉蓋１３０を受ける受け部として機能する。
【００４１】
開閉蓋１３０は、図５に示すとおり、開口枠１２０に着脱式に取着されて開口枠１２０の開口を閉塞する平面視矩形（正方形）状の蓋体である。開閉蓋１３０は、開口枠１２０の周壁１２１の内側に嵌入可能な形状寸法を有する外周部１３１を有する。開閉蓋１３０は、外周部１３１の上端で開口し、下端で閉塞部１３２により閉塞されている。また、開閉蓋１３０の外周部１２１の上端面には、閉塞部蓋１３０を開口枠１２０から持ち上げるための工具が挿入される凹部１３３が形成されている。すなわち、開閉蓋１３０は、開口枠１２０の周壁１２１内側のフランジ１２３上に載置されることで開口枠１２０を開閉自在に閉塞する。また、閉塞部１３２の上面の外周部１３１に包囲された空間には、化粧材充填部１３４が形成されている。化粧材充填部１３４には、例えば、インターロッキングブロックや舗装材などの化粧材（図２１参照）が充填され得る。
【００４２】
図４に示す開閉式管路形成装置１００において、開口枠１２０は、周壁部１２１が貫通孔１１６を包囲するようにトラフ蓋１１５の上に配置されている。すなわち、開口枠１２０は、トラフ蓋１１５から上方（地上部側）に立ち上がるとともに貫通孔１１６を介して上方空間（地上部）とトラフ本体１１１内部とを連通させるようにトラフ蓋１１５の上に載置されて固定されている。そして、開口枠１２０を開閉自在に閉塞するように開閉蓋１３０が設置されている。特には、開閉蓋１３０は、開口枠１２０のフランジ１２３上に固定されることなく載置されている。開口枠１２０がトラフ１１０のトラフ蓋１１５から所定高さで立ち上がっていることにより、電線共同溝１０が構築された状態において、開閉蓋１２０が地上部に露出するように配置され得る。すなわち、開閉式管路形成装置１００を一般部１２の一部に組み込むことによって、地上部からトラフ１１０内部を必要に応じて簡易に露出させることができる開閉式管路を一般部１２に任意に設けることが可能である。
【００４３】
本実施形態の開閉式管路形成装置１００を構築するには、図５に示すように、トラフ１１０のトラフ蓋１１５上に（開閉蓋１３０を着脱式に保持する）開口枠１２０を載置し、トラフ蓋１１５のボルト孔１１７と開口枠１２０のボルト孔１２４とをそれぞれ合致させる。そして、ボルト孔１１７,１２４にボルトを挿入して締め付けることで、トラフ蓋１１５に開口枠１２０を固定し、開閉式管路形成装置１００を構築することができる。
【００４４】
次に、図９乃至図１１を参照して、開閉式管路以外の通常の管路に用いられるトラフ１１０について説明する。トラフ１１０は、図１に示すように、開口枠１２０や分岐部１１２等を設けない単純な管路を形成することに用いられ、一般部１２の一部を構成する。また、トラフ１１０は、開閉式管路用に加工されたトラフ１１０の貫通孔１１６を形成する前段階の構造体でもある。図９は、トラフ１１０の概略斜視図である。図１０（ａ）〜（ｄ）は、トラフ１１０の平面図、正面図、右側面図及び左側面図である。図１１（ａ），（ｂ）は、トラフ１１０のＥ−Ｅ断面図及びＦ−Ｆ断面図である。
【００４５】
トラフ１１０は、配線経路（又は配線方向）に沿って長手状に延設されたＵ字溝状のトラフ本体１１１、及び、該トラフ本体１１１の上方開口を閉塞するように配置されたトラフ蓋１１５を備えてなる。トラフ１１０は、上述した開閉式管路用のトラフ１１０とほぼ同様の構造を有するが、分岐部１１２、連通部１１４及び貫通孔１１６を備えていない点で相違する。つまり、トラフ１１０は、トラフ蓋１１５がトラフ本体１１１に組み合わさった状態で、その内部が地上部に対して完全に閉塞されるように構成されている。
【００４６】
また、図１０（ａ）に示すように、トラフ１１０のトラフ蓋１１５には、貫通孔１１６の穿設を指示するための表示部１１８が形成されている。該表示部１１８は、トラフ蓋１１５上面に刻まれた浅い溝である。または、該表示部１１８は、トラフ蓋１１５上面に描かれた印（マーク）であってもよい。具体的には、表示部１１８は、穿孔具によって貫通孔１１６の角隅（四隅）に対応する円孔を穿孔するための穿孔中心を示す中心指示部１１８ａと、貫通孔１１６の外周縁の位置を示す外形線１１８ｂと、外形線１１８ｂの外側でボルト孔１１７を穿設する位置を示すボルト孔位置指示部１１８ｃとを含む。外形線１１８ｂは、穿孔予定の４つの円孔の円弧部位と、各円弧部位を繋ぐ直線部位からなる。なお、各円弧部位は、貫通孔１１６の中心から最も離隔した側の略１／４円の弧である。
【００４７】
図１２は、トラフ１１０のトラフ蓋１１５に穿孔具で貫通孔１１６を形成する手順を説明する概略図である。例えば、穿孔具は、回転中心軸を円の中心に合わせて、回転中心軸の周りで穿孔刃を回転させることにより、所定の径で円形状の孔を穿孔可能な工具である。例示として、特開平６−９１４１７に記載の穿孔具（コアドリル）を挙げる。まず、穿孔具の回転中心軸を中心指示部１１８ａに宛がって、穿孔具の穿孔刃を外形線１１８ｂの円弧部位に合わせる。この状態で穿孔刃を回転駆動させることにより、トラフ蓋１１５に円孔を穿設することができる。４点の中心指示部１１８ａに基づいて、図１２（ａ）に示すように、４つの円孔を穿設する。次に、電動ソーなどの切断工具を用いて、外形線１１８ｂの４つの直線部位に沿ってトラフ蓋１１５を直線的に切断する。その結果、図１２（ｂ）に示すように、トラフ蓋１１５を貫通孔１１６の形状に打ち抜くことができる。さらに、ボルト孔位置指示部１１８ｃに従って、所定径のドリルでトラフ蓋１１５を貫通することにより、トラフ蓋１１５にボルト孔１１７を形成することができる。すなわち、表示部１１８の指示に従って、工具を操作することにより、少なくとも貫通孔１１６を有するトラフ蓋１１５を形成することができる。これにより、電線共同溝１０を構築する段階において、貫通孔１１６を形成したトラフ蓋１１５に開口枠１２０を取り付けて、開閉式管路を追加することが可能となる。
【００４８】
次いで、電線共同溝１０における特殊部１１と一般部１２との接続構造１５について説明する。図１３は、接続構造１５の分解斜視図である。図１３では、説明の便宜上、特殊部１１のコンクリート蓋を省略した。図１３に示すとおり、接続構造１５は、一般部１１と特殊部１２とを妻壁部材１５０によって接続する構造である。本実施形態では、妻壁部材１５０は、一般部１２のトラフ１１０を特殊部１１に対して保持している。しかしながら、開閉式管路形成装置１００（トラフ１１０）が特殊部１１に隣接してもよい。
【００４９】
まず、図１４乃至図１６を参照して、妻壁部材１５０の構成を説明する。図１４は、妻壁部材１５０の（ａ）特殊部１１側（正面側）から見た概略斜視図であり、（ｂ）一般部１２側（背面側）から見た概略斜視図である。図１５（ａ）〜（ｅ）は、妻壁部材１５０の平面図、正面図、側面図、底面図及び背面図である。図１６（ａ）,（ｂ）は、Ｇ−Ｇ断面図及びＨ−Ｈ断面図である。
【００５０】
妻壁部材１５０は、正面視略矩形状の妻壁本体部１５１と、該妻壁本体部１５１と特殊部１１とを一体的に固定する固定部１５２と、一般部１２端部（トラフ１１０）を載置して支持するとともに一般部１２を包囲する周方向の一部が開放された載置部１５３と、載置部１５３を開閉可能に閉塞するための閉塞体１５４と、を備える。なお、図１４では、説明の便宜上、閉塞体１５４は仮想線で表される、図１５，１６では閉塞体１５４が省略される。
【００５１】
妻壁本体部１５１の正面又は背面形状は、特殊部１１の端面（又は接続端）とほぼ同じ形状を有する。また、妻壁本体部１５１は、特殊部１１側を向いた第１外側面１５１ａ、及び、一般部１２側を向いた第２外側面１５１ｂを有する。第１外側面１５１ａは、特殊部１１のＵ字状の端面に隙間なく当接可能な平面形状を有している。妻壁本体部１５１は、上側部分に厚み方向に貫通する２つの連通口１５５を有し、且つ、該連通口１５５よりも下側部分に厚み方向に貫通する２つの接続口１５６を有している。連通口１５５は、載置部１５３の内側に位置し、載置部１５３上で特殊部１１に接続された一般部１２の端面開口と連通するように機能する。他方、接続口１５６は、載置部１５３の下方に位置し、一般部１２よりも深い位置に埋設された地中管を接続するように機能する。そして、トラフ１１０端部を載置部１５３で保持したときに、妻壁本体部１５１の第２外側面１５１ｂは、トラフ１１０端部に当接可能である。つまり、トラフ１１０が妻壁部材１５０を通過して特殊部１１内部に進入することはない。
【００５２】
固定部１５２は、第１外側面１５１ａが特殊部１１端面に面した状態で妻壁本体部１５１と特殊部１１とを固定して連結するように構成されている。固定部１５２は、妻壁本体部１５１の上面に形成された固定孔１５２ａと、細長いプレート状の連結片１５２ｂとを備える。図１３に示すように、連結片１５２ｂは、妻壁本体部１５１及び特殊部１１を跨いで配置され、両者をボルトで連結する。
【００５３】
載置部１５３は、妻壁本体部１５１の第２外側面１５１ｂから一体的に所定幅で延在している。載置部１５３は、妻壁本体部１５１の央部よりも下寄りで水平（幅）方向に延在し、一般部１１の周方向下側に位置し得る載置壁１５３ａと、該載置壁１５３ａから垂直（高さ）方向に立設し、所定の高さを有する一対の側壁１５３ｂとからなる。そして、載置壁１５３ａに対向する側に開放端１５３ｃが設けられている。つまり、載置部１５３は、一般部１２側に突出する上方が開口したコ字状の張り出しであり、一般部１２を包囲する周方向の一部（本実施形態ではコ字の上方）が開放されている。また、載置部１５３は、トラフ１１０端部を長手方向から受け入れ可能であるように第２外側面１５１ｂに対向する側で開放されている。載置部１５３の突出幅は、一般部１２の端部を安定して載置可能に定められている。突出幅は、トラフ１１０の長手方向の熱伸縮や微動を踏まえると、５ｃｍ以上であることが好ましい。なお、本実施形態では、突出幅が８．５ｃｍであり、後述するように、トラフ１１０端面と第２外側面１５１ｂとの距離（空隙Ｓの幅）が３ｃｍとなるように定められた。また、一対の側壁１５３ｂは、トラフ１１０の幅とほぼ等しい間隔で配置され、且つ、トラフ１１０の高さとほぼ等しいか、それよりも大きい高さを有する。すなわち、一対の側壁１５３ｂは、トラフ１１０の側壁をその間に収めて保持することが可能な寸法形状を有する。
【００５４】
閉塞体１５４は、載置部１５３のコ字型上部の開放端１５３ｃを開閉可能に閉塞するように側壁１５３ｂの上面に載架される平板形状のプレートである。閉塞体１５４は、ボルトで載置部１５３の側壁１５３ｂに固定される。すなわち、閉塞体１５４は、載置部１５３に取り付けられることにより、載置部１５３（載置壁１５３ａ、側壁１５３ｂ）と協働して、一般部１２端部（トラフ１１０）を周方向から包囲可能な環状の枠を形成可能である。つまり、載置部１５３に載置されたトラフ１１０の径方向（高さ、幅方向）の移動が、載置部１５３及び閉塞体１５４によって規制され得る。
【００５５】
図１７乃至図２０は、特殊部１１と一般部１２とが接続された接続構造１５を示す電線共同溝１０の部分拡大図である。具体的には、図１７は、接続構造１５を示す概略斜視図である。図１８（ａ），（ｂ）は、接続構造１５を示す平面図及び正面図である。図１９（ａ）,（ｂ）は、Ｉ−Ｉ断面図及びＪ−Ｊ断面図である。図２０は、Ｋ−Ｋ断面図である。ここでは、説明の便宜上、特殊部１１のコンクリート蓋を省略した。
【００５６】
図１７及び図１８に示すように、接続構造１５は、Ｕ字型コンクリート枡の特殊部１１の端部と一般部１２の端部とを妻壁部材１５０によって接続してなる。妻壁部材１５０は、固定部１５２を介して特殊部１１に固定連結されている。また、妻壁部材１５０は、一般部１２の端部（トラフ１１０）を載置部１５３によって保持している。
【００５７】
図１９に示すように、トラフ１１０の端部が、妻壁部材１５０の載置部１５３の載置壁１５３ａ上に載置されている。このとき、妻壁部材１５０の連通口１５５を介して特殊部１１とトラフ１１０とが電線を配線可能に連通している。妻壁部材１５０の２つの連通口１５５は、トラフ１１０の隔壁部１１３で仕切られた２つの配線空間にそれぞれ連通している。また、妻壁部材１５０の載置部１５３がトラフ１１０端部を支持した状態で、閉塞体１５４が一対の側壁１５３ｂにボルトで締結されて載置部１５３の開放端１５３ｃを閉塞している。すなわち、閉塞体１５４は、上方から着脱操作可能に上側に臨むボルトで載置部１５３に固定されている。
【００５８】
図２０に示すように、載置部１５３及び閉塞体１５４が協働してトラフ１１０端部を周方向において包囲している。トラフ１１０は、妻壁部材１５０に対して隙間がほとんどない状態で保持されることが好ましい。そして、図１９に示すように、トラフ１１０端面と妻壁部材１５０の第２外側面１５１ｂとの間には、空隙Ｓが形成されている。換言すれば、接続構造１５において、トラフ１１０の端面と妻壁部材１５０の第２外側面１５１ｂとが離隔するように、一般部１２全体が敷設される。このとき、妻壁部材１５０は、特殊部１１には固定されているが、一般部１２（トラフ１１０）には固定されていないので、空隙Ｓは、トラフ１１０の長手方向の僅かな移動（ずれや微動など）を許容するように機能する。すなわち、一般部１２全体が熱収縮や震動によって長手方向（配線方向）に変位しても、空隙Ｓが、トラフ１１０の長手方向の遊動幅を確保することで、トラフ１１０の長手方向のずれや微動を吸収し、特殊部１１と一般部１２との接続を安定的に維持することができる。
【００５９】
次に、本実施形態の接続構造１５を構築する方法を説明する。なお、この説明では、トラフ１１０の上方へのアスファルトなどの舗装材を考慮しない。まず、地下部に設置された特殊部１１に対して妻壁部材１５０を固定部１５２を用いて固定する。次に、載置部１５３の開放端１５３ｃを介してトラフ１１０の端部を載置壁１５３ａに載置する。このとき、トラフ１１０端面と第２外側面１５１ｂとの間に空隙Ｓを適切に形成するように、トラフ１１０の長手方向の位置を調整する。トラフ１１０の端面は、載置壁１５３ａの突出幅の中央付近に位置するように調整されることが好ましい。具体的には、突出幅が８．５ｃｍであり、空隙Ｓの幅が３ｃｍに調整された。一般的に、トラフ１１０の下面は掘り下げられた凹溝底面によって支持される。そして、閉塞体１５４を妻壁本体部１５１の側壁１５３ｂ上に載架して、地上部又は上方から工具を操作して、閉塞体１５４を妻壁本体部１５１にボルトで固定する。以上の工程により、妻壁部材１５０で特殊部１１及び一般部１２を接続する接続構造１５を構築することができる。なお、接続構造１５を構築した後に、トラフ１１０のトラフ蓋１１５を開放する場合には、ボルトを上方から操作し、閉塞体１５４を妻壁本体部１５１から取り外すことにより、特殊部１１に隣接するトラフ１１０のトラフ蓋１１５をトラフ本体１１１から取り外すことができるようになる。
【００６０】
図２１乃至図２５は、地中に構築され、地中で電線を配線する本実施形態の電線共同溝１０を概略的に示している。図２１は、電線共同溝１０の平面図である。図２２は、電線共同溝１０を模式的に示す側面図である。図２３（ａ）〜（ｃ）は、電線共同溝１０のＬ−Ｌ断面図、Ｍ−Ｍ断面図、Ｎ−Ｎ断面図である。図２４は、電線共同溝１０のＯ−Ｏ断面図である。図２５は、開閉蓋１３０を開口枠１２０から取り除いた状態の電線共同溝１０の平面図である。ここで、開閉式管路形成装置１００による設置構造を開閉式管路構造１０１とする。
【００６１】
図２１及び図２２に示すように、本実施形態の電線共同溝１０では、特殊部１１及び一般部１２が地上面に掘削された凹溝の底面に設置された状態で舗装材Ｚが敷設されている。図２２において、凹溝の底面を斜線で示した。図２２に示すように、特殊部１１及一般部１２の高さを整合させるために、特殊部１１の凹溝底面の方が一般部１２の凹溝底面よりも低くなっている。そして、特殊部１１において、Ｕ字状のコンクリート枡１１ａの上にコンクリート蓋１１ｂが配置され、コンクリート蓋１１ｂが地上部に露出している。また、一般部１２において、地中に埋設されたトラフ１１０の上方にアスファルトやブロックのような舗装材Ｚが敷設され、地表面を舗装材Ｚが覆っている。そして、開閉式管路構造１０１において、地中のトラフ１１０の上方に配置された開閉蓋１３０のみが地上部に露出している。本実施形態において、開閉蓋１３０の化粧材充填部１３４には、インターロッキングブロックや舗装材などの化粧材が充填されている。なお、本実施形態の電線共同溝１０は、地面を掘削して形成された凹溝底面に、特殊部１１、一般部１２を接続構造１５を介して設置した上で、アスファルトなどの舗装材Ｚを凹溝に充填することによって構築される。また、舗装材Ｚは、凹溝の深部に充填される埋め戻し材と、表層の仕上げ層（例えば、アスファルト層やブロック材）との組み合わせでもよく、当業者によって任意に選択され得る。
【００６２】
図２３（ａ）及び図２４は、接続構造１５における電線共同溝１０の断面構造を示している。図２３（ａ）及び図２４に示すように、特殊部１１に隣接する妻壁部材１５０の上方及び側方には、アスファルトなどの舗装材Ｚが敷設され、妻壁部材１５０とともにトラフ１１０の端部が地中に埋設されている。このとき、トラフ１１０の先端部は、妻壁部材１５０の第２外側面１５１ｂと空隙Ｓで離隔している。そして、電線Ｘが妻壁部材１５０の連通口１５５を介して特殊部１１から一般部１２（トラフ１１０内部）に配線されている。また、一般部１２の下方には、地中管Ｙが配管されている。電線Ｘが妻壁部材１５０の接続口１５６を介して特殊部１１から地中管Ｙに配線されている。
【００６３】
図２３（ｂ）は、（開閉式管路ではない）通常の管路を形成するトラフ１１０における電線共同溝１０の断面構造を示している。図２３（ｂ）に示すように、トラフ１１０は、電線Ｘを隔壁部１１３で仕切られた各配線空間にそれぞれ配線している。また、トラフ１１０が凹溝底面に載置された状態で、その側方及び上方に舗装材Ｚが充填されている。すなわち、トラフ１１０のトラフ蓋１１５の上に舗装材Ｚが敷設されることで、トラフ１１０が地上部に露出することなく地中に埋設されている。ここでは、舗装材Ｚを取り除かない限り、トラフ１１０の内側を地上部に露出させることができないことから、トラフ１１０は電線Ｘを通過させるためだけの管路として機能することが好ましい。
【００６４】
図２３（ｃ）は、開閉式管路構造１０１における電線共同溝１０の断面構造を示している。また、図２５は、開口枠１２０から地上部に臨むトラフ１１０内部の平面構造を示している。図２３（ｃ）に示すように、トラフ１１０が凹溝底面に載置された状態で、トラフ蓋１１５から立ち上がる開口枠１２０を除いて、その側方及び上方に舗装材Ｚが充填されている。開口枠１２０は、トラフ１１０のトラフ蓋１１５の上方に充填される舗装材Ｚと同様の高さを有していることから、開口枠１２０の上方には舗装材Ｚが敷設されていない。
【００６５】
また、開口枠１２０には、開閉蓋１３０が地上部に露出するように着脱式に取り付けられている。開閉蓋１３０は、地上部からの操作で開口枠１２０から容易に取り外し可能である。より具体的には、開口枠１２０を開放するには、地上部側から工具を開閉蓋１３０の凹部１３３に差し込むことで開閉蓋１３０を持ち上げることが可能となり、開口枠１２０から開閉蓋１３０を容易に取り外すことができる。そして、開閉蓋１３０を開口枠１２０から取り外すことにより、開口枠１２０を介してトラフ１１０内部を地上部に露出させることが可能である。他方、開放した開口枠１２０を再び閉塞するには、開口枠１２０に開閉蓋１３０を被せるだけで、開口枠１２０を開閉蓋１３０で簡単に閉塞することができる。
【００６６】
さらに、開閉式管路構造１０１のトラフ１１０では、隔壁部１１３によって仕切られた２つの配線空間が連通部１１４によって連通している。図２５に示すように、一方の配線空間の電線Ｘが、他方の配線空間へと連通部１１４を跨いで分岐部１１２に向かうように配線されている。すなわち、本実施形態の特殊部１１から一般部１２の外部へと電線Ｘが分岐し、トラフ１１０の外部に分岐する配線分岐路に沿って電線Ｘが配線される。
【００６７】
以下、本発明に係る一実施形態の電線共同溝１０における作用効果について説明する。
【００６８】
本実施形態の電線共同溝１０によれば、トラフ１１０の所定位置でトラフ蓋１１５に貫通孔１１６を形成し、開口枠１２０をトラフ蓋１１５から地上部側に立ち上がるようにしてトラフ蓋１１５の上に載置し、開口枠１２０の上下開口を貫通孔１１６を介してトラフ本体１１１内部に連通させ、地上部に露出する開閉蓋１３０で開口枠１２０を閉塞したことにより、トラフ１１０のトラフ蓋１１５をトラフ本体１１１から取り外すことなく、地上部で開閉蓋１３０を操作するだけでトラフ本体１１１内部を簡単且つ迅速に地上部に臨ませることが可能となった。特に、電線共同溝１０では、一般部１２に開閉式管路構造１０１を組み込んだことにより、舗装材Ｚを敷設してトラフ１１０を地中に埋設した状態で、一般部１２の内部を地上部に臨ませることが可能となった。従来、電線の接続や分岐は上部を開放可能な特殊部に集約されることが作業上望ましいとされたが、本実施形態の開閉式管路構造１０１によって、トラフ１１０を地中に埋設させた一般部１２においても電線の接続や分岐などの作業を行うことが容易となった。すなわち、本実施形態の電線共同溝１０は、電線Ｘの接続、分岐、点検等の作業効率を大幅に改善するとともに、多様な設計可能性を提供するものである。
【００６９】
［変形例］
本発明は、上記実施形態に限定されずに、例えば、以下のように変形可能である。
【００７０】
（１）本発明のトラフは上記実施形態に限定されない。すなわち、トラフには、隔壁部、分岐部、接続部の一部又は全てが設けられなくてもよい。また、電線共同溝、開閉式管路形成装置、開閉式管路構造に用いられるトラフは、表示部を有するトラフから製造されなくてもよい。さらに、トラフの表示部からボルト孔位置指示部が省略されてもよい。
【００７１】
（２）本発明の電線共同溝及びその構成要素は、上記実施形態に限定されない。例えば、電線共同溝は、トラフが直線的に設置されたものでなく、屈折又は屈曲した管路を形成してもよい。また、トラフは、Ｃ字状にカーブさせたものや、Ｌ字状に屈折させたものであってもよい。さらに、各構成要素の形状は当業者であれば任意に変更可能である。例えば、貫通孔、開口枠、開閉蓋などの平面形状は、矩形状でなくてもよく、円形、長円形、三角形、他の多角形などであってもよい。また、上記実施形態では、１列のトラフが直接状に配設されている管路を構成しているが、追加のトラフの列を幅方向に併設して、複数列のトラフで管路を構成してもよい。
【００７２】
（３）上記実施形態では、１つのトラフの上に１つの開口枠が設置されたが、１つのトラフ蓋に複数の貫通孔を設けて、複数の開口枠を設けてもよい。
【００７３】
（４）上記実施形態のトラフは、合成樹脂で形成されているが、コンクリート製や金属製などの他の材料で形成されてもよい。
【００７４】
（５）上記実施形態では、開閉蓋が開口枠に載置されるだけであるが、開閉蓋を開口枠に対して、ビスなどを用いて固定したり、ロック機構を設けてロックしてもよい。
【００７５】
（６）上記実施形態の開閉式管路形成装置及び開壁式管路構造は、一般部のトラフに形成されているが、特殊部を構成するトラフに適用されることを除外するものではない。すなわち、特殊部のコンクリート枡（トラフ）のコンクリート蓋（トラフ蓋）に開口枠及び開閉蓋を設けてもよい。
【００７６】
（７）上記実施形態では、電線共同溝について説明したが、本発明の技術的思想は、電線共同溝以外の用途の管路や共同溝を形成することに応用されてもよい。例えば、管路又は共同溝として、ガス管、ダクト、給水管などの地中配管用の管路が挙げられる。
【００７７】
（８）上記実施形態では、接続構造において妻壁本体部に閉塞体が固定されて載置部の開放端を閉塞するが、閉塞体が妻壁本体部でなく特殊部に固定されてもよい。また、載置部は、コ字形状の張り出し壁からなるが、一方又は両方の側壁が省略されてもよい。この場合、閉塞体が、載置部の省略された部分を補完するように、コ字形状やＬ字形状に形成される。
【００７８】
本発明は上述した実施形態や変形例に限定されるものではなく、本発明の技術的範囲に属する限りにおいて種々の態様で実施しうるものである。
【符号の説明】
【００７９】
１０      電線共同溝
１１      特殊部
１１ａ    コンクリート枡
１１ｂ    コンクリート蓋
１２      一般部
１５      接続構造
１００    開閉式管路形成装置
１０１    開閉式管路構造
１１０    トラフ
１１１    トラフ本体
１１２    分岐部
１１３    隔壁部
１１４    連通部
１１５    トラフ蓋
１１６    貫通孔
１１７    ボルト孔
１１８    表示部
１１８ａ  中心指示部
１１８ｂ  外形線
１１８ｃ  ボルト孔位置指示部
１２０    開口枠
１２１    周壁
１２３    フランジ
１２４    ボルト孔
１３０    開閉蓋
１３１    外周部
１３２    閉塞部
１３３    凹部
１３４    化粧材充填部
１５０    妻壁部材
１５１    妻壁本体部
１５１ａ  第１外側面
１５１ｂ  第２外側面
１５２    固定部
１５２ａ  ビス孔
１５２ｂ  連結片
１５３    載置部
１５３ａ  載置壁
１５３ｂ  側壁
１５３ｃ  開放端
１５４    閉塞体
１５５    連通口
１５６    接続口
Ｓ        空隙
Ｘ        電線（配線・配管材）
Ｙ        地中管
Ｚ        舗装材
【図１】
2020014307.tif 000003
【図２】
2020014307.tif 000004
【図３】
2020014307.tif 000005
【図４】
2020014307.tif 000006
【図５】
2020014307.tif 000007
【図６】
2020014307.tif 000008
【図７】
2020014307.tif 000009
【図８】
2020014307.tif 000010
【図９】
2020014307.tif 000011
【図１０】
2020014307.tif 000012
【図１１】
2020014307.tif 000013
【図１２】
2020014307.tif 000014
【図１３】
2020014307.tif 000015
【図１４】
2020014307.tif 000016
【図１５】
2020014307.tif 000017
【図１６】
2020014307.tif 000018
【図１７】
2020014307.tif 000019
【図１８】
2020014307.tif 000020
【図１９】
2020014307.tif 000021
【図２０】
2020014307.tif 000022
【図２１】
2020014307.tif 000023
【図２２】
2020014307.tif 000024
【図２３】
2020014307.tif 000025
【図２４】
2020014307.tif 000026
【図２５】
2020014307.tif 000027